【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
電気的に直列に接続された複数の蓄電器を有する蓄電モジュールが電気的に直列に接続された複数の蓄電モジュールと、
前記各蓄電モジュールに対応して設けられ、対応する蓄電モジュールが有する複数の蓄電器のそれぞれの端子電圧を検出する複数の下位制御装置と、
前記複数の下位制御装置が電気的に直列に接続されて構成された第１信号伝送路と、
上位制御装置と、
電気的な接続を絶縁する絶縁手段を有し、前記電気的に直列に接続された複数の下位制御装置と前記上位制御装置との間において信号を、前記絶縁手段を介して伝送する第２信号伝送路と、を有し、
前記各下位制御装置は、
対応する蓄電モジュールが有する複数の蓄電器のそれぞれの端子電圧をディジタル値に変換するＡ／Ｄコンバータと、
伝送されてきた電気信号を受信する信号入力回路と、
電気信号を送信する信号出力回路と、
ロジック回路と、を有しており、
前記第１信号伝送路は、一の下位制御装置のロジック回路から出力された、次の下位制御装置のロジック回路に伝送される信号によって前記一の下位制御装置の信号出力回路が動作して、前記一の下位制御装置のロジック回路から出力された信号が前記一の下位制御装置の信号出力回路から前記次の下位制御装置の信号入力回路に電気信号の状態で伝送されると共に、前記伝送された電気信号によって前記次の下位制御装置の信号入力回路が動作して、前記一の下位制御装置のロジック回路から出力された信号が前記次の下位制御装置のロジック回路に伝送されるように構成されており、
前記第１信号伝送路及び前記第２信号伝送路はそれぞれ、クロック信号を伝送するクロック伝送路を有しており、
前記Ａ／Ｄコンバータによってディジタル値に変換された蓄電器の端子電圧を表すデジタル信号は、前記クロック信号に同期して、前記第１信号伝送路及び前記第２信号伝送路を介して前記上位制御装置に伝送される
ことを特徴とする蓄電装置。
【請求項２】
請求項１に記載の蓄電装置において、
前記各下位制御装置は複数の信号入力端子及び信号出力端子を有しており、
前記各下位制御装置の複数の信号出力端子がそれぞれ、次の下位制御装置の信号入力端子に電気的に直列に接続されることによって複数の前記第１信号伝送路が形成されており、
さらに、前記絶縁手段をそれぞれ有する複数の前記第２信号伝送路を有し、
前記各第１信号伝送路と前記各第２信号伝送路とがそれぞれ電気的に直列に接続されることによって、前記各第１信号伝送路が前記各第２信号伝送路を介して前記上位制御装置に接続されており、
前記クロック信号を伝送するクロック伝送路は、前記複数の第１信号伝送路のうちの一つと、前記複数の第２信号伝送路のうちの一つとが電気的に直列に接続されて構成された一つの信号伝送路によって構成されている
ことを特徴とする蓄電装置。
【請求項３】
請求項１又は２に記載の蓄電装置において、
前記絶縁手段はフォトカプラである
ことを特徴とする蓄電装置。
【請求項４】
請求項１乃至３のいずれかに記載の蓄電装置において、
前記各下位制御装置は、
対応する蓄電モジュールが有する複数の蓄電器の端子電圧を受ける複数の電圧検出端子と、
前記複数の電圧検出端子を介して受けた前記複数の蓄電器の端子電圧から、検出する端子電圧を選択する選択回路と、
所定の電圧を発生する電源回路と、
前記電源回路の出力部に電気的に接続されたＶＤＤ端子と、を有しており、
前記Ａ／Ｄコンバータは、前記選択回路によって選択された端子電圧をデジタル値に変換しており、
デジタル変換された端子電圧を表す信号は、前記第１及び第２信号伝送路を介して前記上位制御装置に伝送される
ことを特徴とする蓄電装置。
【請求項５】
請求項４に記載の蓄電装置において、
前記各下位制御装置はさらに、基準電位を定めるためのＧＮＤ端子を有している
ことを特徴とする蓄電装置。
【請求項６】
請求項５に記載の蓄電装置において、
前記ＶＤＤ端子と前記ＧＮＤ端子との間にはキャパシタが接続されている
ことを特徴とする蓄電装置。
【請求項７】
請求項１乃至６のいずれかに記載の蓄電装置において、
前記Ａ／Ｄコンバータは誤差補正回路を有している
ことを特徴とする蓄電装置。
【請求項８】
請求項７に記載の蓄電装置において、
前記Ａ／Ｄコンバータは補正ロジック回路を有すると共に、前記補正ロジック回路の動作に基づいて、検出値を補正する
ことを特徴とする蓄電装置。
【請求項９】
請求項７に記載の蓄電装置において、
前記下位制御装置は、前記Ａ／Ｄコンバータの誤差を校正する信号を受ける校正端子を有しており、
前記Ａ／Ｄコンバータは、前記校正端子を介して供給された校正情報に基づいて、校正された検出値を出力する
ことを特徴とする蓄電装置。
【請求項１０】
請求項１乃至９のいずれかに記載の蓄電装置において、
前記各下位制御装置は、対応する蓄電モジュールから電力の供給を受けて動作し、
前記上位制御装置は、前記蓄電モジュールとは異なる電源から供給された電力により動作する
ことを特徴とする蓄電装置。
【請求項１１】
請求項１０に記載の蓄電装置において、
前記上位制御装置に電力を供給する電源と前記複数の蓄電モジュールとは電気的に絶縁されている
ことを特徴とする蓄電装置。
【請求項１２】
請求項１乃至１１のいずれかに記載の蓄電装置において、
前記上位制御装置は、前記第２信号伝送路を介して前記第１信号伝送路に送信した信号と、前記第１信号伝送路から前記第２信号伝送路を介して戻ってきた信号とを比較し、前記戻ってきた信号に誤りがあるかないかを確認する
ことを特徴とする蓄電装置。
【請求項１３】
請求項１２に記載の蓄電装置において、
前記上位制御装置は、前記戻ってきた信号に誤りがある場合、同じ信号を、前記第２信号伝送路を介して前記第１信号伝送路に送信する
ことを特徴とする蓄電装置。
【請求項１４】
請求項１３に記載の蓄電装置において、
前記上位制御装置は、前記戻ってきた信号の誤りが所定回数続いたら、異常と判断して上位システムに異常信号を送信する
ことを特徴とする蓄電装置。
【手続補正２】
【補正対象書類名】明細書
【補正対象項目名】００１４
【補正方法】変更
【補正の内容】
【００１４】
（１）上記目的を達成するため、本発明は、電気的に直列に接続された複数の蓄電器を有する蓄電モジュールが電気的に直列に接続された複数の蓄電モジュールと、前記各蓄電モジュールに対応して設けられ、対応する蓄電モジュールが有する複数の蓄電器のそれぞれの端子電圧を検出する複数の下位制御装置と、前記複数の下位制御装置が電気的に直列に接続されて構成された第１信号伝送路と、上位制御装置と、電気的な接続を絶縁する絶縁手段を有し、前記電気的に直列に接続された複数の下位制御装置と前記上位制御装置との間において信号を、前記絶縁手段を介して伝送する第２信号伝送路と、を有し、前記各下位制御装置は、対応する蓄電モジュールが有する複数の蓄電器のそれぞれの端子電圧をディジタル値に変換するＡ／Ｄコンバータと、伝送されてきた電気信号を受信する信号入力回路と、電気信号を送信する信号出力回路と、ロジック回路と、を有しており、前記第１信号伝送路は、一の下位制御装置のロジック回路から出力された、次の下位制御装置のロジック回路に伝送される信号によって前記一の下位制御装置の信号出力回路が動作して、前記一の下位制御装置のロジック回路から出力された信号が前記一の下位制御装置の信号出力回路から前記次の下位制御装置の信号入力回路に電気信号の状態で伝送されると共に、前記伝送された電気信号によって前記次の下位制御装置の信号入力回路が動作して、前記一の下位制御装置のロジック回路から出力された信号が前記次の下位制御装置のロジック回路に伝送されるように構成されており、前記第１信号伝送路及び前記第２信号伝送路はそれぞれ、クロック信号を伝送するクロック伝送路を有しており、前記Ａ／Ｄコンバータによってディジタル値に変換された蓄電器の端子電圧を表すデジタル信号は、前記クロック信号に同期して、前記第１信号伝送路及び前記第２信号伝送路を介して前記上位制御装置に伝送されるものである。 
かかる構成により、絶縁手段の個数を低減して、低コストな制御装置とし得るものとなる。